(57)【要約】【課題】補機関連の流量、圧力、水位等の監視データと、被試験対象発電機の電圧、電流、回転数等の計測データとを、一元管理できる発電機試験設備管理システムを得る。【解決手段】被試験対象発電機を強制的に回転させながら、被試験対象発電機の計測データを収集する発電機試験設備管理システムであって、被試験対象発電機を駆動する電動機と、電動機を駆動する駆動装置と、発電機試験設備への電力の供給を入り切りする遮断器と、発電機試験設備へ供給される潤滑油、冷却水の流量、圧力、水位等を調整するとともに、流量、圧力、水位等を監視データとして出力する制御弁と、被試験対象発電機の電圧、電流、回転数等の何れかを計測し、計測データとして出力する計測機器と、駆動装置、遮断器、制御弁および計測機器に制御指令を送信するとともに、監視データおよび計測データを収集するインターフェイス装置と、を備えたものである。【選択図】図１
2015184684.tif 000002
【特許請求の範囲】
【請求項１】
被試験対象発電機を強制的に回転させながら、前記被試験対象発電機の計測データを収集する発電機試験設備管理システムであって、
前記被試験対象発電機を駆動する電動機と、
前記電動機を駆動する駆動装置と、
発電機試験設備への電力の供給を入り切りする遮断器と、
発電機試験設備へ供給される潤滑油、冷却水の少なくとも流量、圧力、水位の何れかを調整するとともに、前記少なくとも流量、圧力、水位の何れかを監視データとして出力する制御弁と、
前記被試験対象発電機の少なくとも電圧、電流、回転数の何れかを計測し、計測データとして出力する計測機器と、
前記駆動装置、前記遮断器、前記制御弁および前記計測機器に制御指令を送信するとともに、前記監視データおよび前記計測データを収集するインターフェイス装置と、
を備えた発電機試験設備管理システム。
【請求項２】
前記インターフェイス装置が収集した前記監視データおよび前記計測データを蓄積するデータベースサーバをさらに備えた
請求項１に記載の発電機試験設備管理システム。
【請求項３】
前記データベースサーバに蓄積された前記監視データおよび前記計測データを参照するデータ参照用端末をさらに備えた
請求項１または請求項２に記載の発電機試験設備管理システム。
【請求項４】
前記インターフェイス装置は、前記被試験対象発電機の試験手順をパターン化することにより、前記被試験対象発電機の試験を自動で実施する
請求項１から請求項３までの何れか１項に記載の発電機試験設備管理システム。
【発明の詳細な説明】
【技術分野】
【０００１】
この発明は、被試験対象発電機の軸を電動機と連結し、強制的に被試験対象発電機を回転させながら、電圧、電流、回転数等の計測データを収集する発電機試験設備管理システムに関する。
【背景技術】
【０００２】
図２は、従来の発電機試験装置を示すブロック構成図である（例えば、特許文献１参照）。図２において、この発電機試験装置は、被試験対象発電機５１を試験する装置である。また、この発電機試験装置は、電動機５２、駆動装置５３、駆動監視操作回路５４、遮断器５５、系統監視操作回路５６、制御弁（潤滑油制御弁、冷却水制御弁）５７、補機監視操作回路５８、計測機器５９、計測監視回路６０を備えている。
【０００３】
電動機５２は、被試験対象発電機５１の軸と連結され、被試験対象発電機５１を強制的に回転させる。駆動装置５３は、電動機５２を駆動する。駆動監視操作回路５４は、駆動装置５３を監視制御する。遮断器５５は、試験装置への電力の供給を入り切りする。系統監視操作回路５６は、遮断器５５を操作する。
【０００４】
制御弁５７は、試験装置に付帯し、試験装置へ供給される潤滑油、冷却水の流量、圧力、水位等を調整するとともに、流量、圧力、水位等を補機監視操作回路５８に通知する。補機監視操作回路５８は、制御弁５７を監視操作するとともに、流量、圧力、水位等を監視する。計測機器５９は、被試験対象発電機５１の電圧、電流、回転数等を計測する。計測監視回路６０は、計測機器５９から収集した値を監視する。
【先行技術文献】
【特許文献】
【０００５】
【特許文献１】特開平１０−３０７６０２号公報
【発明の概要】
【発明が解決しようとする課題】
【０００６】
しかしながら、従来技術には、以下のような課題がある。
従来の発電機試験装置は、上記のように構成されているので、各回路（駆動監視、系統監視、補機監視、計測監視）の連携がとれず、複数の試験作業員により監視操作を実行する必要があった。また、補機関連の流量、圧力、水位等の監視データと、被試験対象発電機の電圧、電流、回転数等の計測データとを、一元管理することができないという問題がある。
【０００７】
この発明は、上記のような課題を解決するためになされたものであり、補機関連の流量、圧力、水位等の監視データと、被試験対象発電機の電圧、電流、回転数等の計測データとを、一元管理することができる発電機試験設備管理システムを得ることを目的とする。
【課題を解決するための手段】
【０００８】
この発明に係る発電機試験設備管理システムは、被試験対象発電機を強制的に回転させながら、被試験対象発電機の計測データを収集する発電機試験設備管理システムであって、被試験対象発電機を駆動する電動機と、電動機を駆動する駆動装置と、発電機試験設備への電力の供給を入り切りする遮断器と、発電機試験設備へ供給される潤滑油、冷却水の少なくとも流量、圧力、水位の何れかを調整するとともに、少なくとも流量、圧力、水位の何れかを監視データとして出力する制御弁と、被試験対象発電機の少なくとも電圧、電流、回転数の何れかを計測し、計測データとして出力する計測機器と、駆動装置、遮断器、制御弁および計測機器に制御指令を送信するとともに、監視データおよび計測データを収集するインターフェイス装置と、を備えたものである。
【発明の効果】
【０００９】
この発明に係る発電機試験設備管理システムによれば、インターフェイス装置は、発電機試験設備へ供給される潤滑油、冷却水の流量、圧力、水位等を出力する制御弁からの監視データと、被試験対象発電機の電圧、電流、回転数等を計測して出力する計測機器からの計測データとを収集する。
そのため、補機関連の流量、圧力、水位等の監視データと、被試験対象発電機の電圧、電流、回転数等の計測データとを、一元管理することができる。
【図面の簡単な説明】
【００１０】
【図１】この発明の実施の形態１に係る発電機試験設備管理システムを示すブロック構成図である。
【図２】従来の発電機試験装置を示すブロック構成図である。
【発明を実施するための形態】
【００１１】
以下、この発明に係る発電機試験設備管理システムの好適な実施の形態につき図面を用いて説明するが、各図において同一、または相当する部分については、同一符号を付して説明する。
【００１２】
実施の形態１．
図１は、この発明の実施の形態１に係る発電機試験設備管理システムを示すブロック構成図である。図１において、この発電機試験設備管理システムは、被試験対象発電機１を試験するシステムである。また、この発電機試験設備管理システムは、電動機１１、駆動装置１２、遮断器１３、制御弁（潤滑油制御弁、冷却水制御弁）１４、計測機器１５、インターフェイス装置１６、試験監視制御用端末１７、データベースサーバ１８およびデータ参照用端末１９を備えている。
【００１３】
電動機１１は、被試験対象発電機１の軸と連結され、被試験対象発電機１を強制的に回転させる。駆動装置１２は、電動機１１を駆動する。遮断器１３は、発電機試験設備への電力の供給を入り切りする。制御弁１４は、発電機試験設備に付帯し、発電機試験設備へ供給される潤滑油、冷却水の流量、圧力、水位等を調整するとともに、流量、圧力、水位等をインターフェイス装置１６に通知する。計測機器１５は、被試験対象発電機１の電圧、電流、回転数等を計測する。
【００１４】
インターフェイス装置１６は、プログラマブルコントローラを有し、駆動装置１２、遮断器１３、制御弁１４および計測機器１５に接続されて制御指令を送信することにより、駆動監視操作機能、系統監視操作機能、補機監視操作機能および計測監視機能を実現する。すなわち、これらの各機能は、特許文献１の駆動監視操作回路５４、系統監視操作回路５６、補機監視操作回路５８および計測監視回路６０の機能にそれぞれ対応する。
【００１５】
試験監視制御用端末１７は、インターフェイス装置１６にネットワークケーブルで接続され、インターフェイス装置１６内のプログラマブルコントローラと通信を行っており、試験作業員による操作入力や各設備の状態表示機能を有する。
【００１６】
データベースサーバ１８は、インターフェイス装置１６にネットワークケーブルで接続され、インターフェイス装置１６内に収集される各種データを蓄積する機能を有する。データ参照用端末１９は、データベースサーバ１８にネットワークケーブルで接続され、蓄積された各種データを参照する機能を有する。
【００１７】
以下、上記構成の発電機試験設備管理システムの動作について説明する。
まず、試験監視制御用端末１７から遮断器１３の投入および制御弁１４の調整を行う。試験監視制御用端末１７で操作された投入信号および調整信号は、それぞれインターフェイス装置１６内のプログラマブルコントローラに通知された後、信号処理される。インターフェイス装置１６は、この信号に基づいて、系統監視操作機能、補機監視操作機能により、遮断器１３で投入動作を実行し、制御弁１４で調整動作を実行する。
【００１８】
次に、試験監視制御用端末１７から試験開始操作を行う。試験監視制御用端末１７で操作された試験開始信号は、インターフェイス装置１６内のプログラマブルコントローラに通知される。インターフェイス装置１６は、この信号に基づいて、駆動監視操作機能により、駆動装置１２に対して電動機１１の駆動開始指令を出力する。
【００１９】
続いて、試験監視制御用端末１７から計測開始操作を行う。試験監視制御用端末１７で操作された計測開始信号は、インターフェイス装置１６内のプログラマブルコントローラに通知される。インターフェイス装置１６は、この信号に基づいて、計測監視機能により、計測機器１５から入力される計測データや制御弁１４から入力される監視データ、駆動装置１２および遮断器１３から出力される状態データの収集を開始する。
【００２０】
インターフェイス装置１６は、収集した計測データ、監視データおよび状態データ（以下、「試験データ」と称する）を、ネットワークケーブルで接続されたデータベースサーバ１８に送信し、データベースサーバ１８に蓄積する。なお、インターフェイス装置１６は、被試験対象発電機１の試験を実行している間、このデータ収集処理を継続する。
【００２１】
次に、試験監視制御用端末１７から試験終了操作を行う。試験監視制御用端末１７で操作された試験終了信号は、インターフェイス装置１６内のプログラマブルコントローラに通知される。インターフェイス装置１６は、この信号に基づいて、駆動監視操作機能により、駆動装置１２に対して電動機１１の駆動停止指令を出力する。また、インターフェイス装置１６は、データ収集処理を停止する。
【００２２】
ここで、データベースサーバ１８に収集された試験データは、ネットワークケーブルで接続されたデータ参照用端末１９により、検索条件（試験実施日等）を指定することで、データベースサーバ１８から抽出表示される。また、データ参照用端末１９において、複数の試験データを比較参照することにより、特性解析を行うことができる。
【００２３】
このように、上記構成の発電機試験設備管理システムによれば、個別に独立していた各回路（駆動監視、系統監視、補機監視、計測監視）をネットワークで接続したインターフェイス装置１６により１箇所に集約するように構成したので、１名の試験作業員による運転操作が可能となる。また、インターフェイス装置１６に被試験対象発電機１の試験手順をパターン化することにより、一連の被試験対象発電機１の試験を、全て自動で実施することができる。
【００２４】
また、データベースサーバ１８に試験データ（計測データ、監視データおよび状態データ）を集約して一元管理し、この試験データを参照可能とすることにより、過去の試験データとの比較検討や、特性解析を容易に実行することができる。すなわち、発電機試験設備において、試験作業員の作業性を向上させ、過去に実施した試験データとの比較を容易にすることができる。
【００２５】
以上のように、実施の形態１によれば、インターフェイス装置は、発電機試験設備へ供給される潤滑油、冷却水の流量、圧力、水位等を出力する制御弁からの監視データと、被試験対象発電機の電圧、電流、回転数等を計測して出力する計測機器からの計測データとを収集する。
そのため、補機関連の流量、圧力、水位等の監視データと、被試験対象発電機の電圧、電流、回転数等の計測データとを、一元管理することができる。
【符号の説明】
【００２６】
１  被試験対象発電機、１１  電動機、１２  駆動装置、１３  遮断器、１４  制御弁、１５  計測機器、１６  インターフェイス装置、１７  試験監視制御用端末、１８  データベースサーバ、１９  データ参照用端末。
【図１】
2015184684.tif 000003
【図２】
2015184684.tif 000004